Podtech/llm-jp-corpus-v4-ja_patent huggingface dataset:
(57)【要約】      （修正有）【課題】駐車場、公園、道路、公共の広場など広範囲な場所の清掃作業をするとき、火バサミ、箒、塵取り、ゴミ袋など多くの掃除用具を持ち、これらを持ち替え作業をしたり、収集したゴミを一般ゴミと資源ゴミに分別処理するといった多くの手間と時間を要していた。これら掃除用具の機能をまとめて一体化することで簡単で使いやすい掃除用具にする。【解決手段】箒８と火バサミ７を一体化し、塵取りに一般ゴミと資源ゴミの二つのゴミ袋を取り付ける。箒８と一体になった部品９に火バサミ７を差し込み、箒８と火バサミ７を固定し一体化させる。塵だめ板の無い掃き込み口板のみの塵取りに、二段になった取っ手枠にカギ状の突起を付けゴミ袋が着脱出来るようにし、簡素で軽い塵取りにする。【選択図】図４
2018068995.tif 000002
【特許請求の範囲】
【請求項１】
箒と火バサミを一体化し二つの機能を持つ箒付火バサミ。
【請求項２】
塵取りの両側面及び後部の塵だめ板の無い掃き込み口板のみの塵取りに、これを支持する上下二段になった枠を取り付け取っ手にした、この支持枠にカギ状の突起を付けゴミ袋を突き刺し装着しゴミ袋が着脱出来るようにした塵取り。
【発明の詳細な説明】
【発明の詳細な説明】
本発明は箒と火バサミを一体化し、箒と火バサミの二つの機能を持つ箒付き火バサミとし、それに従来の塵取りの両側面及び後部塵だめ板を無くし掃き込み口板のみの塵取りに、これを支持する上下二段になった支持枠を取り付け取っ手にした、この支持枠にカギ状の突起を付けゴミ袋を突き刺し装着出来るようにした、このことでゴミ袋が簡単に着脱出来るようになった、またゴミ袋を上下二段に装着し一般ゴミと資源ゴミを分別し回収出来るようにした。
従来広い駐車場や公園、また道路や公共の広場など広範囲な場所の清掃は箒や火バサミ、それに塵取りやゴミ袋など多種類の掃除用具を持ってゴミの形状やゴミの種類によって用具を持ち替え、又塵取りにたまったゴミをつどつどゴミ袋に移し替えしながら清掃回収作業をしていた、かねてより作業者からもっと簡単な掃除用具を強く要望されていた。
本発明はその強い要望をまとめて簡単な方法で解決したものである。
以下それお説明すると、
（イ）火バサミ７、に取り付け部品９、によって箒８、を取り付け、火バサミと箒を一体化させた。
（ロ）塵取りの掃き込み口板のみのもの１、にこれを支持する上下二段になった取っ手枠２，３、を取り付け取っ手とした、これにカギ状の突起を付けゴミ袋を突き刺し装着し、これによってゴミを直接ゴミ袋に掃き込むことが出来きるようにした、また資源ゴミは分別し投入収集出来るようにした。
本発明によりそれぞれの機能を集約し一体化した掃除用具で、作業時間も短縮出来作業が楽になた、又収集したゴミの分別処理も簡単に出来るようになった。
本発明はこのような簡単な方法で問題を解決したものである。
【図面の簡単な説明】
【図１】  本発明の塵取りの取っ手枠にゴミ袋を装着した状態の斜視図
【図２】  本発明の塵取りの取っ手枠にゴミ袋を装着してない状態の正面図
【図３】  取っ手枠にゴミ袋を装着してない状態の側面図
【図４】  本発明の火バサミに箒を装着した状態の正面図
【図５】  本発明の火バサミに箒を装着した状態の側面図
【図６】  図４のＡＢの断面拡大図
【符号の説明】  １は、  塵だめ板の無い、はき込み口板部分のみの塵取り
２は、  一般ゴミを入れるゴミ袋を装着する取っ手枠
３は、  資源ゴミを入れるゴミ袋を装着する取っ手枠
４は、  塵取りを支持する取っ手枠のにぎりの部分
５は、  ゴミ袋をそれぞれの枠に突き刺し装着するためのカギ状の突起
６は、  それぞれの枠に装着されたゴミ袋
７は、  火バサミ
８は、  火バサミに装着した箒
９は、  火バサミに箒を固定するための、箒と一体になった部品
【図１】
2018068995.tif 000003
【図２】
2018068995.tif 000004
【図３】
2018068995.tif 000005
【図４】
2018068995.tif 000006
【図５】
2018068995.tif 000007
【図６】
2018068995.tif 000008
(57)【要約】      （修正有）【課題】簡易的にハンガーを衣服にかけられ、衣服にハンガーをかけたままキレイに収納できるハンガー。【解決手段】左右の肩の本体側部位が上下に回転可動が可能なため、肩の幅が狭くなることにより、衣服の襟元を伸ばすことなくハンガーを衣服にかけられることができるため、衣服の襟元がよれたり伸びたりすることがなくなり、衣服の形状を保つことができる。また左右の外側肩部が前後に回転可動が可能なため、ハンガーをかけたまま衣服を常に同じ大きさに折り畳むことができるため、衣服からハンガーを取り外す手間がないため時間短縮になる。また、ハンガーの各部位の厚さが薄いため、かさばることなくハンガーを衣服にかけたまま収納が可能。フックの部位も本体内部へ収納できるためフックが邪魔にならず、コンパクトできれいに収納することができるハンガー。【選択図】図１
2018068994.tif 000002
【特許請求の範囲】
【請求項１】
中央に本体部を備え、前記本体の左右には肩部と呼ばれる部位、そして本体の上部にはフックと呼ばれる部位とで構成されており、肩部は本体側肩部と外側肩部に分かれ、２つの構成で成り立っており、外側肩部は前後に回動可能、かつ回動を静止できる機能が設けられている回動結合具によって本体側肩部と連結されていることを特徴とする折りたたみ式ハンガー。
【発明の詳細な説明】
【技術分野】
【０００１】      本発明は、衣服の吊り下げに使用されるハンガーに関し、詳しくは肩部を下部へ折りたたむことも、また前後に折り畳むこともでき、また、フックを下部へ可動させることにより、フックを本体内部へ収納することができる折りたたみ＆収納可能式ハンガー。
【背景技術】
【０００２】      本ハンガーは左右肩部の外側肩部が前後に回動可能なため、ハンガーに衣服を掛けたまま全て同じ大きさで、衣服をキレイに折り畳むことが可能。【０００３】      従来のハンガーでは、丸首シャツのような襟ぐりが小さく前が開かない衣服にハンガーを襟元から通す際、衣服にハンガーを掛けにくく襟元を引っ張らなくてはならなかったが、本ハンガーは左右の肩部を下部へ回転可動させることにより肩部の幅が狭くなるため簡単に、そして襟元を引っ張ることなく衣服にハンガーを掛けることが可能。【０００４】    本ハンガー上部に備えられているフックを下部へ可動させることにより、本体内部へフックが収納されるためコンパクトになり、本ハンガーを衣服に掛けたまま衣服をタンスなどへ収納する際、フックを気にすることなく収納することが可能。
【先行技術文献】
【特許文献１】不明
【非特許文献１】なし
【発明の概要】
【発明が解決しようとする課題】
【０００５】    干し終えた洗濯物を畳む際、ハンガーを衣服から取り外す必要があり、時間と手間がかかっていた。【０００６】    従来のハンガーでは丸首シャツなどの襟元からハンガーを掛ける際、襟元を引っ張らなくては首元からハンガーを掛けることができなかった。襟元からハンガーを取り外す際も同様に、襟元を伸ばさなくて衣服からハンガーを取り出すことができなかった。そのため襟元が伸び、ヨレてしまい、襟元の形状が変化するため、衣服の寿命が縮まっていた。
【課題を解決するための手段】
【０００７】    左右の外側肩部を前後に回動可能なことにより、干し終えた衣服をハンガーに掛けたまま折り畳むことが可能なため、常に同じ大きさで、キレイに衣服を折り畳むことが可能。また、本ハンガーの厚さは薄いため、重ねてもかさばりを抑えることが可能。【０００８】    本ハンガーの左右の本体側肩部は上下に回動可能なことにより、左右肩部の肩幅を狭くすることが可能なため、襟元から本ハンガーを掛ける際、襟元を伸ばすことなく本ハンガーを掛けることが可能なため、襟元がヨレテしまうことを軽減することが可能。【０００９】    フックを下部へ垂直可動することにより本体内部へフックを収納できるため、フックが邪魔にならずコンパクトになり、本ハンガーを衣服にかけたまま洋服タンスなどへ衣服を収納することが可能。
【発明の効果】
【００１０】    衣服の襟元がヨレなくなったため、衣服の寿命も延び、衣服の形状も保たれる。【００１１】    本ハンガーを付けたまま折り畳めるため、本ハンガーを衣服から取り外す手間と時間が軽減される。【００１２】    本ハンガーのフックが本体内部へ収納できるため、フックが邪魔にならず、キレイに洋服タンスなどへ収納が可能。また、本ハンガーの厚さが薄いため、重ねて収納してもかさばりを抑えることができる。
【図面の簡単な説明】
【００１３】
【図１】この発明の一実施形態を示す図である。
【発明を実施するための形態】
【００１４】    この発明の一実施形態を示す図である。
【００１５】    衣服の襟元から本ハンガーをかける際、左右の本体側肩部が上下に回転可動することにより肩の幅が狭くなるため、衣服の襟元を伸ばさなくても本ハンガーを衣服に掛けることが可能。また左右の外側肩部が前後に回転可動できるため、乾いた衣服を本ハンガーにかけたまま衣服をキレイに折り畳め、そのままタンスなどへコンパクトに収納することが可能。
【００１６】    本体側肩部と本体は、一体となっていても構わない。
【符号の説明】
【００１６】    １：本体側肩部１−１  ２：外側肩部１−２  ３：本体側肩部２−１  ４：外側肩部２−２  ５：前後に回動可能な接合具１  ６：前後に可動可能な接合具２  ７：フック  ８：本体前面  ９本体後面  １０：肩部と本体を支える円柱型の支柱１  １１：肩部と本体を支える円柱型の支柱２  １２：フック上部へ水平可動させた際、ストッパーの役目を果たす円柱型の支柱１  １３：フック上部へ水平可動させた際、ストッパーの役目を果たす円柱型の支柱２
【図１】
2018068994.tif 000003
【図２】
2018068994.tif 000004
【図３】
2018068994.tif 000005
【図４】
2018068994.tif 000006
【手続補正書】
【提出日】平成29年5月11日(2017.5.11)
【手続補正２】
【補正対象書類名】明細書
【補正対象項目名】００１３
【補正方法】変更
【補正の内容】
【００１３】
【図１】正面図
【図２】下面図
【図３】接合具の拡大図
【手続補正３】
【補正対象書類名】図面
【補正対象項目名】図４
【補正方法】削除
【補正の内容】
(57)【要約】      （修正有）【課題】簡単な構造で底から水が入る容器を得ることを目的とする。【解決手段】本発明の容器１は、一方が開放し他方に穴５が設けられた底面２を持ち、前記穴５よりも大きな可撓性シート６が前記穴５を全て塞ぐように前記底面２に固着部７にて固着されたことを特徴とする。その結果、容器１を水中に垂直に押し込みそのまま垂直に持ち上げるだけで、水を汲み上げることができ、容器１を持つ手をひねったり返したりする動作が不要になる。【選択図】図１
2018068884.tif 000002
【特許請求の範囲】
【請求項１】
一方が開放し他方に穴が設けられた底面を持つ容器であって、  前記穴よりも大きな可撓性シートが前記穴を全て塞ぐように前記底面に固着部にて固着されたことを特徴とする容器。
【発明の詳細な説明】
【技術分野】
【０００１】
本発明は、底面から水（液体）が入る容器に関する。
【背景技術】
【０００２】
特許文献１には、水（液面）に対し垂直に容器を押し込み、そのまま上方へ持ち上げ水を汲み上げる容器が開示されている。
【先行技術文献】
【特許文献】
【０００３】
【特許文献１】実開昭５９−１５５０５８号公報
【発明の概要】
【発明が解決しようとする課題】
【０００４】
しかしながら、特許文献１に記載の容器は、底に逆止弁が設けられ、特別な構造を必要としていた。そこで、本発明は簡単な構造で底から水が入る容器を得ることを目的とする。
【課題を解決するための手段】
【０００５】
前記課題を解決するために、請求項１記載の容器は、一方が開放し他方に穴が設けられた底面を持ち、前記穴よりも大きな可撓性シートが前記穴を全て塞ぐように前記底面に固着部にて固着されたことを特徴とする。  
【０００６】
この容器は、穴を塞ぐ簡単な可撓性シートを用意し、その一部を底面に固着部で固着するのみの簡単な構造となる。
【図面の簡単な説明】
【０００７】
【図１】本発明の実施の形態に係る底から水が入る容器を示した斜視図である。
【図２】本発明の実施の形態に係る容器を水に押し込んだときの説明図である。
【図３】本発明の実施の形態に係る容器を水を汲み上げたときの説明図である。
【図４】本発明の実施の形態に係る容器の効果を示す説明図である。
【図５】本発明の実施の形態の変形例に係る容器の説明図である。
【図６】本発明の他の実施の形態に係る容器の斜視図である。
【図７】本発明のさらに他の実施の形態に係る容器の斜視図である。
【発明を実施するための形態】
【０００８】
本発明の実施の形態に係る底から水（液体）が入る容器１である洗面器（栓面器とも呼ぶ）は、図１に示すように底面２と側面３と開放部４からなる。そして、容器１の底面２には円形の穴５が複数（５個）等間隔に配置されている。この穴５よりも僅かに大きな楕円形に近い卵形のシリコンゴムからなる可撓性シート６が全ての穴５を塞ぐように配置されている。可撓性シート６の外周側一部言い換えると長手方向である卵形の突出した部分の２か所で容器１の底面２に固着部７にて固着されている。なお、固着部７は底面２と可撓性シート６を貫通し上下の潰し部で保持するリベットであり、熱溶着により形成されている。  
【０００９】
この可撓性シート６は容器１の底面２の厚さよりも薄く可撓性が高くなっており、シリコンゴムを用いることで底面２に対する密着性も高くなっている。固着部７は可撓性シート６の外周側に設けることで可撓性シート６は容器１の中心に向かって開放するように変形する。また、固着部７は２か所あり、この固着部７の間隔は穴５の半径よりも大きくなることで穴５を確実に塞ぐ効果を持つ。  
【００１０】
次に、本発明の実施の形態に係る容器１の底面２から水が入るときの作用を図２に沿って説明する。容器１の底面２が水面に対し対向（矢印方向）するように、容器１を垂直に水中に没入させる。すると、水面の水圧にて底面２に固着された可撓性シート６が栓を開けるように変形する。その結果、水は、底面２の穴５を通じて水面と同じ位置になるまで容器１の内部に注ぎ込まれる。  
【００１１】
次に、本発明の実施の形態に係る容器１の底面２から水が出なくなる作用を図３に沿って説明する。容器１の底面２が水面に対し対向（矢印方向）するように、容器１を垂直に水中から引き上げる。すると、容器１内部の水圧にて底面２に固着された可撓性シート６が栓を閉じるように変形する。その結果、水は、底面２の穴５から漏れることがない。  
【００１２】
前述の構成および作用により、図４に示す様に、容器１を水（お湯、液体）に浸けるだけで容器１内に水（お湯、液体）が溜まる。更に、子供や女性でも容器１を持つ手首を返すことがなく辛い作動がなくなる。  
【００１３】
前述の実施形態例に係る容器１は、穴５と可撓性シート６を５個設け、楕円形に近い卵形のシリコンゴムからなるが、他の容器でもよい。例えば、図５に示す様に、中心に１個、その周りに５個、計６個の穴５とそれを全て覆う可撓性シート６を設けた変形例ても良い。この可撓性シート６は円形のゴムシートで６個設けている。この場合も前述実施形態と同じ作用と効果を示す。  
【００１４】
他の実施形態例に係る容器１は、図６に示すお玉であって、穴５を１つ持ち、可撓性シート６を１個設け、円形のシリコンゴムからなる。更に、他の実施形態例に係る容器１は、図７に示す取手８を持つバケツ１であって、穴５を１つ持ち、可撓性シート６を１個設け、円形のシリコンゴムからなる。これらの場合も前述実施形態と同じ作用と効果を示す。
【符号の説明】
【００１５】
１…水（容器）、２…底面、３…側面、４…開放部（開放）、５…穴、６…可撓性シート、７…固着部
【図１】
2018068884.tif 000003
【図２】
2018068884.tif 000004
【図３】
2018068884.tif 000005
【図４】
2018068884.tif 000006
【図５】
2018068884.tif 000007
【図６】
2018068884.tif 000008
【図７】
2018068884.tif 000009
(57)【要約】【課題】従来のコップは特願2016-545942に適応しなかった。本発明は簡単で低コストな改良方法により特願2016-545942に適応するコップを提供する。【解決手段】従来のコップＡの開口部の淵のすぐ下にフック用の穴Ｂを有することで、特願2016-545942のフックＣをコップの淵に掛けて、吊るし保持することの出来るコップ。【選択図】図２
2018068815.tif 000002
【特許請求の範囲】
【請求項１】
開口部の淵のすぐ下に特願2016-545942のフックが通る穴を有することで、特願2016-545942のフックで吊るし保持できるコップ。
【発明の詳細な説明】
【技術分野】
【０００１】
本発明は、特願2016-545942で使用できるコップに関するものである。
【背景技術】
【０００２】
従来、特願2016-545942は非分離型プルタブ飲料缶しか使用することが出来なかった。
【先行技術文献】
【特許文献】
【０００３】
【特許文献１】特願2016-545942
【発明の概要】
【発明が解決しようとする課題】
【０００４】
従来のコップは特願2016-545942で使用できなかった、しかし特願2016-545942が主に用いられるバーベキュー、立食パーティー、フードフェスなどにおいて非分離型プルタブ飲料缶の他、コップや紙コップで飲料を飲むことは一般的である。本発明は簡単で低コストな改良により特願2016-545942で使用できるコップの提供を目的とする。
【課題を解決するための手段】
【０００５】
コップ(Ａ)の開口部淵のすぐ下に特願2016-545942のフック(Ｃ)が通る穴(Ｂ)を有することでコップ(Ａ)を特願2016-545942のフック(Ｃ)で吊るし保持する。
【発明の効果】
【０００６】
本発明により、従来の製造工程をほとんど変更せずに特願2016-545942で使用できるコップが低コストで製造できる。本発明によるコップは特願2016-545942に吊るされた時、空の状態では３０度程度の角度で傾き保持されるが飲料を注いだ時は飲料の重さにより重心が低くなり傾きが小さくなるので飲料を8分目程度まで注いでもこぼれることはない。また空の状態で保持できることで大人数でのバーベキューで自分のコップを紛失することもなくなる。常に自分のコップを持ち歩けるので衛生的である。また使用済み紙コップなどが乱雑に放置されないので会場も綺麗に使用できる。
【図面の簡単な説明】
【０００７】
【図１】本発明の形状例を示す斜視図
【図２】図1の形状例の使用例を示す斜視図
【発明を実施するための形態】
【０００８】
本発明は、特願2016-545942で使用するものである。本発明のコップは図1で示すようにコップ(Ａ)に特願2016-545942のフック(Ｃ)が通る穴(Ｂ)を有するものである。
使用方法は図２のように特願2016-545942のフック(Ｃ)を穴(Ｂ)に通し開口部の淵に掛け、コップ(Ａ)を吊るし保持する。
【実施例】
【０００９】
本発明のコップに注ぐことの出来る飲料の量はコップの形状や材質に依存するので予め可能な量をラインなどで示すとよい。
【００１０】
紙コップやプラカップなどの簡易コップは従来の製品にパンチなどの道具で使用時に穴を開ければよい。
【００１１】
大きなサイズのコップを使用する場合、小指が重さに耐えられないので、特願2016-545942を薬指など他の指に嵌めるとよい。
【産業上の利用可能性】
【００１２】
椅子、テーブルが無い立食いフードコートやお祭りなどで使用し、飲み物を同時購入しやすくさせ、フードコート全体の売り上げが上がる。
【００１３】
テーブルやドリンクホルダーの無いシートでのスポーツ観戦や劇場での飲食が容易になり。飲食による売り上げが上がる。
【符号の説明】
【００１４】
Ａ  コップ
Ｂ  穴
Ｃ  特願2016-545942のフック
【図１】
2018068815.tif 000003
【図２】
2018068815.tif 000004
(57)【要約】【課題】  従来のデンタルフロスピックの先は尖って爪楊枝的であり、歯の隙間に通し、歯に詰まったものを押し出す事しか出来なかった。【解決手段】本発明はデンタルフロスピックの先に返しを付け、先の部分で歯に詰まった物を動かし、返しの部分で歯に詰まった物を引き出すことが出来る。【選択図】    図１
2018068873.tif 000002
【特許請求の範囲】
【請求項１】
デンタルフロスピックの先に返しを付けたもの。
【発明の詳細な説明】
【発明の概要】
【発明が解決しようとする課題】
【０００１】
従来のデンタルフロスピックの先は尖って爪楊枝的ではあるものの、歯の隙間に通し、歯に詰まった物を押し出す事しか出来なかった。その為、逆に歯に詰まった物を押し込む事にもなっていた。
【課題を解決するための手段】
【０００２】
本発明はデンタルフロスピックの先に返し部分を付けた。
【発明の効果】
【０００３】
上記の効果により、デンタルフロスピックの先で歯に詰まった物を動かし、返し部分によって歯に詰まった物を引き出す。
【図面の簡単な説明】
【０００４】
【図１】デンタルフロスピックの全体図
【符号の説明】
【０００５】
Aで歯に詰まった物を押し動かす
BでAで動かした物を引き出す
【図１】
2018068873.tif 000003
(57)【要約】      （修正有）【課題】ＵＦＯの浮上する方法で宇宙船ヘイバーの前にすすむエンジンとする。【解決手段】  電気パネルに＋＋＋＋プラス−−−マイナス＋＋−プラスプラスマイナス−−−＋マイナスマイナスマイナスプラスの磁場をあたえると浮上する。進む。【選択図】図１
2018068092.tif 000002
【特許請求の範囲】
ＵＦＯの浮上する力と進む力で宇宙船ヘイバーのエンジンとする
【発明の詳細な説明】
【技術分野】
【０００１】
2018068092.tif 000003
【０００２】
2018068092.tif 000004
【先行技術文献】
【０００３】
【特許文献】
2018068092.tif 000005
【特許文献】
2018068092.tif 000006
【特許文献】
2018068092.tif 000007
【非特許文献】
【０００４】
【非特許文献】１
【非特許文献】
2018068092.tif 000008
【発明の概要】
【発明が解決しようとする課題】長時間の飛行に耐える
【発明を解決する手段】
2018068092.tif 000009
【発明の効果】
2018068092.tif 000010
【図面の簡単な説明】
【発明を実施するための形態】
【実施例】ソビエトのヘイーバー
【産業上の利用の可能性】
いろいろな宇宇宙飛行機に使われる
【図１】
2018068092.tif 000011
【図２】
2018068092.tif 000012
【手続補正書】
【提出日】平成28年12月27日(2016.12.27)
【手続補正１】
【補正対象書類名】明細書
【補正の内容】
2018068092.tif 000013
2018068092.tif 000014
2018068092.tif 000015
【手続補正２】
【補正対象書類名】図面
【補正対象項目名】全図
【補正方法】変更
【補正の内容】
【図１】
2018068092.tif 000016
【図２】
2018068092.tif 000017
(57)【要約】      （修正有）【課題】銅イオンを手軽に体内に摂取することができる飲料水の製造方法の提供。【解決手段】原料水と、含まれる金属イオンのうち９９．９％以上が銅イオンである銅イオン水とを混ぜ合わせて飲料水を生成する飲料水製造方法。前記原料水と前記銅イオン水とを加圧状態で混ぜ合わせる前記飲料水製造方法。銅イオン水は、銅を処理水の中で電気分解することにより得ることができ、飲料水に銅イオンを４ｐｐｍ以上含有させることが好ましい。【選択図】なし【特許請求の範囲】
【請求項１】
原料水と、含まれる金属イオンのうち９９．９％以上が銅イオンである銅イオン水とを混ぜ合わせて飲料水を生成することを特徴とする飲料水製造方法。
【請求項２】
前記原料水と前記銅イオン水とを加圧状態で混ぜ合わせることを特徴とする請求項１記載の飲料水製造方法。
【請求項３】
前記銅イオンが４ｐｐｍ以上含まれていることを特徴とする請求項１又は２記載の飲料水製造方法。
【発明の詳細な説明】
【技術分野】
【０００１】
本発明は、銅イオンを含む飲料水の製造方法に関するものである。
【背景技術】
【０００２】
銅イオンは、体内におけるメタロチオネインという物質の生成を促進させる機能があることが知られている。このメタロチオネインは、特許文献１に示されるように、活性酸素に対する消去能を持ち、体内のメタロチオネインが多いほどガンや糖尿病など様々な病気にかかりにくくなる。
【先行技術文献】
【特許文献】
【０００３】
【特許文献１】特開２０１１−８８８６６号公報
【発明の概要】
【発明が解決しようとする課題】
【０００４】
このような中で、本発明者は、純度の高い銅イオン水を生成することに成功し、この銅イオン水を利用して、銅イオンを手軽に体内に摂取することについて検討した。
【０００５】
本発明は、上述した本発明者の検討に基づいてなされたものである。
【課題を解決するための手段】
【０００６】
すなわち本発明は、原料水と、含まれる金属イオンのうち９９．９％以上が銅イオンである銅イオン水とを混ぜ合わせて飲料水を生成することを特徴とする飲料水製造方法である。
【０００７】
このような飲料水製造方法により生成された飲料水であれば、銅イオンが高純度に含まれているので、この飲料水を飲むことで銅イオンを手軽に体内に摂取することができ、体内おけるメタロチオネインの生成を促進させることができる。これにより、この飲料水を飲んでいる人は、体内の活性酸素が抑制されてガンや糖尿病などの病気にかかりにくくなる。
【０００８】
より具体的な製造方法としては、前記原料水と前記銅イオン水とを加圧状態で混ぜ合わせる方法が挙げられる。
【０００９】
前記銅イオンが４ｐｐｍ以上含まれていることが好ましい。
【発明の効果】
【００１０】
このように構成した本発明によれば、高純度な銅イオンを含む飲料水を生成することができ、銅イオンを手軽に体内に摂取することができる。
【発明を実施するための形態】
【００１１】
以下に本発明に係る飲料水製造方法の一実施形態について説明する。
【００１２】
本発明に係る飲料水製造方法は、銅イオンが含まれる所謂機能水（登録商標）を飲料水として生成する方法である。
【００１３】
原料水としては、上水、井戸水、水素や酸素のナノバブルを有する水などが挙げられ、ここでは天然水（ミネラルウォータ）を用いている。
【００１４】
銅イオン水は、鉛等の阻害イオンを含有しない高純度の銅イオン水である。この銅イオン水は、例えば上水や井戸水等を浄水器等の処理装置で処理した処理水に銅イオンを含ませたものであり、より詳細には、前記処理水に含まれる金属イオンのうち９９．９〜９９．９９９９％を銅イオンにしたものである。ここでの銅イオン水は、前記金属イオンのうち９９．９９％を銅イオンにしたものである。
【００１５】
上述の銅イオン水は、銅を前記処理水の中で電気分解することにより得られるものであり、本実施形態では、純銅の板を陽極及び陰極に用い、これらの銅板を処理水に浸した状態で両極間に所定の電圧を印加して、陽極の銅板を電気分解することにより生成されるものである。この電気分解は、処理水に銅イオンが３５０〜１００００ｐｐｍ含まれるように、電圧の印加時間や電圧の大きさ等が設定されており、本実施形態では、処理水に銅イオンが２０００ｐｐｍ含まれるように設定されている。
【００１６】
そして、本実施形態では原料水である天然水と銅イオン水とを例えばステンレス製の容器に入れて、天然水と銅イオン水とを加圧した状態で混ぜ合わせ、銅イオン水の濃度を４ｐｐｍに調整したものを飲料水として製造している。加圧状態で混合するための実施態様としては、ハニカム（蜂の巣）構造の流体流路が形成された攪拌装置を用いて天然水と銅イオン水とを攪拌する方法が挙げられる。これにより、天然水と銅イオン水が均一に混ざり合うとともに、天然水と銅イオン水とが分離しにくくなる。なお、銅イオン水の濃度は適宜変更して構わない。
【００１７】
このような飲料水製造方法により製造された飲料水によれば、銅イオンが高純度に含まれているので、この飲料水を飲むことで人体の必須元素である銅イオンを手軽に体内に摂取することができ、体内おけるメタロチオネインの生成を促進させることができる。
これにより、この飲料水を飲んでいる人は、体内の活性酸素が抑制されてガンや糖尿病などの病気にかかりにくくなる。
【００１８】
なお、本発明は前記実施形態に限定されるものではない。
【００１９】
例えば、前記実施形態では原料水と銅イオン水とを加圧状態で混ぜ合わせていたが、圧力をかけることなく原料水と銅イオン水とを混ぜ合わせても良い。
【００２０】
その他、本発明は前記実施形態に限られず、その趣旨を逸脱しない範囲で種々の変形が可能であるのは言うまでもない。
(57)【要約】      （修正有）【課題】液体水素自動車への液体水素充填を簡便に行うこと。【解決手段】液体水素を充てんする時に水道の蛇口コックをロック１を解除して水道の蛇口３を上向きにして、液体水素スタンドの蛇口を上向きに固定し液体自動車の水道の蛇口３を上向きにして付け、水道の蛇口の近距離で上向きして固定する、蛇口と蛇口とを液体水素に耐えてる、ホース２を差し込みつなぎ液体水素や水素ガスが漏れない様に固定又はロックして液体水素蛇口３を上向きにして両方の蛇口のコック１を開くと水素ガスが漏れないで液体水素が液体水素自動車のタンク蛇口から、タンク蛇口へ、じゅうてんする。【選択図】図１
2018076957.tif 000002
【特許請求の範囲】
【請求項１】
液体水素スタンドからの水道の蛇口の口先を上向きして、液体水素自動車のタンクの水道の蛇口の口先を上向きにして、蛇口の口先にホース差し込みして蛇口の口先を固定してから水道の蛇口をハンドルを回転し、蛇口２個を開閉すると液体水素がスタンドから液体水素が自動車のタンクに入ることを特徴とする装置である。
【発明の詳細な説明】
【技術分野】
【００００１】水素スタンドの蛇口水素自動車の水素タンク蛇口をそれぞれの蛇口は水道の蛇口と原理は同じである。
【背景技術】
【００００２】液体水素スタンド水道の蛇口と液体水素自動車のタンクの水道の蛇口取り付けるそして、蛇口と蛇口水素ガスが漏れないようにホウス差し込みつなぐこと、そして完璧に固定し、液体水素やガスが漏れないように固定すること、そして、水道蛇口のコックを開けたり閉めたりすればよい。
【発名の効果】
【０００００３】本発明は液体水素を充てんする時に水道の蛇口コックをロックを解除して水道の蛇口を上向きして、液体水素スタンドの蛇口上向きに固定し液体自動車の水道の蛇口を上向きにして付け、水道の蛇口の近距離で上向きして固定する、蛇口と蛇口とを液体水素に耐えてる、ホースを差し込みつなぎ液体水素や水素ガスが漏れない様に固定又はロックして液体水素蛇口を上向きして両方の蛇口のコック開くと水素ガスが漏れないで液体水素が液体水素自動車のタンク蛇口から、タンク蛇口へ、じゆうてんする、
【図面の簡単な説明】
【図１】１は水道のコックと蛇口の説明の説明  ２は液体水素ホース  ３は、じやぐち  の口先、４は固定金具
【図１】
2018076957.tif 000003
(57)【要約】      （修正有）【課題】従来のスクリーンバスケットに於いて発生するスリット部分の目詰まり、及び目詰まりによるスクリーンの処理能力の低下の防止とスクリーニングされたパルプへの異物の混入を防止する方法の提供。【解決手段】スクリーン・バスケットはバー１に傾斜角度３をつけて、ローター２の回転推力のスリットに沿った分析Ｖｆがスリットを通過できない異物４に作用し、重力に加え、異物をスリットに沿って排出を促進する方法。前記方法によればパルプ懸濁液中に含まれる異物の排出速度を高める事が出来る結果、異物４のスリット部での滞留時間が短縮され、スリットの実質有効開口面積が広くなる。更に、迅速な異物４排出により、異物４によるスリット部の目詰まりを防止する事が出来る。【選択図】図１
2018076627.tif 000002
【特許請求の範囲】
【請求項１】
製紙原料パルプのスリット式スクリーンに於いて、スリットを構成するバーに傾斜を付けたスクリーン  バスケット。
【発明の詳細な説明】
【技術分野】
【０００１】
製紙用原料パルプに含まれる異物を除去する為の円筒型スクリーンに於いて、異物の除去効率の大幅な改善とスクリーンの処理能力を向上させ、更に紙品質の改善を実現する技術。
【背景技術】
【０００２】
従来のスリット  スクリーンは、2〜4mm幅の縦長バーを一定間隔で垂直に多数連続して配置した円筒型のスクリーン  バスケットと、原料パルプをスクリーンバスケットのバーの間隙（スリット）を通過させる為のスクリーン  バスケットと同心に配置された回転ローターで構成されている。
従来のスクリーン  バスケットでは、スリットを通過出来ないパルプに混入した異物はスリットに沿って重力で下降し、スクリーンの系外に排出される。
異物はパルプの懸濁液中を重力のみで下降排出される為、その排出速度は遅くスリットに詰まりやすい。
スリットが目詰まりを起こすと、パルプの通過の妨げとなり、スクリーンの処理能力を著しく低下させる原因と成る。
又、スリットに目詰まりした異物の一部がパルプと共にスリットを通過し、紙の品質低下の原因と成っている。 
【先行技術文献】
【特許文献】
【０００３】
【特許文献１】特開2003−138493号公報
【発明の概要】
【発明が解決しようとする課題】
【０００４】
段落番号0002で述べた、パルプ懸濁液中に含まれる異物の排出を迅速かつ効果的に行う事により、スリットの目詰まりを改善しスクリーンの処理能力を大幅に高めると共に、異物の製品への混入を防ぐ技術発明。
【課題を解決するための手段】
【０００５】
従来のスクリーン  バスケットではバーが垂直に並べられたのに対し、今回発明の傾斜式スクリーン  バスケットは、バーに傾斜角度3（約5〜45度）をつける（図参照）。
垂直バーを傾斜バー1に変更する事により、ローター2の回転推力のスリットに沿った分力Vf（図参照）がスリットを通過できない異物4に作用し、重力に加え異物をスリットに沿って排出を促進する事が出来る。
又、異物の排出速度を高める事により、異物がスリットの開口部分を塞ぐ時間が短縮されると同時に、異物がスリットの開口部分に押し込まれる事によって発生する目詰まりを改善する。
【発明の効果】
【０００６】
上述した様に本発明のスクリーン  バスケットはバスケットのスリットの目詰まりを防止し、スクリーンの処理能力の改善と異物の紙への混入を防止する事が出来る。
【図面の簡単な説明】
【０００７】
【図１】は本発明の傾斜バー、傾斜バーを支持するサポートリング及び回転ローターを含むスクリーンバスケットの外観図を示す。
【発明を実施するための形態】
【０００８】
１は本発明の基本部分である傾斜バーを示す。回転ローター２の回転により発生する傾斜バー方向の分力Vfにより、異物はスリット方向に迅速に排出される。
【符号の説明】
【０００９】
１  傾斜バー
２  回転ローター
３  バー傾斜角度
４  異物  
Vf  ローター回転によるスリット方向分力
【図１】
2018076627.tif 000003
(57)【要約】【課題】  一般住宅や改修工事など外壁塗装時に、雨樋などに塗料の飛散を防ぐ目的とし、作業時間を大幅に短縮し効率よく、さらに繰り返し利用可能な養生カバーを提供する。【解決手段】住宅塗り替え工事、吹き付け工事等で雨樋を塗装時の飛散、汚れなどから防ぐ養生カバーにおいて、前記養生カバーは開口部と樋受金具に差し込む溝部を有する第１の養生カバーと前記開口部を有する第２の養生カバーとを備えた、養生を必要とする樋にはめ込み使用する養生カバー。  【選択図】  図２
2018076671.tif 000002
【特許請求の範囲】
【請求項１】
住宅塗り替え工事、吹き付け工事等で雨樋を塗装時の飛散、汚れなどから防ぐ養生カバーにおいて、前記養生カバーは開口部と樋受金具に差し込む溝部を有する第１の養生カバーと前記開口部を有する第２の養生カバーとを備えた、養生を必要とする樋にはめ込み使用する養生カバー。
【請求項２】
前記第２の養生カバーは、前記第１の養生カバーより長尺である請求項１に記載の養生カバー。
【請求項３】
前記第１及び第２の養生カバーの開口部は、雨樋の円周の三分の一から四分の一である請求項１に記載の養生カバー。
【発明の詳細な説明】
【技術分野】
【０００１】
本発明は、塗り替え工事吹き付け工事等で雨樋（たて樋）を養生し飛散汚れ防止とする養生カバーに関するものである。
【背景技術】
【０００２】
従来、塗り替え工事吹き付け工事等では雨樋を養生テープ又はマスキングテープを用いて養生を行うのが一般的であった。
【先行技術文献】
【特許文献】
【０００３】
【特許文献１】特開２０１０−２７０５７４  公報
【発明の概要】
【発明が解決しようとする課題】
【０００４】
養生テープ等を用いる場合は、雨天時など濡れている間は貼り付けが出来ず、外壁部分に沿ってあるため技術が必要とされてきた。作業後はごみとなり、作業時間も大幅に掛かっていた。
【課題を解決するための手段】
【０００５】
養生を必要とする樋に溝部（差し込み口）を有するカバーをはめ込み、樋受金具に溝部（差し込み口）を差し込み、開口部（はめ込み口）が外側に見えているため、長尺になった溝部（差し込み口）のないものをはめ込む。
【発明の効果】
【０００６】
養生テープ等を用いる場合で問題となる歪み、シワがなくなり雨天時等濡れている時も作業が出来、はめ込むことにより技術が容易になりしかも再度使用可能なため作業後のゴミが削減される。さらに作業に要する時間の短縮が見込まれる。
【図面の簡単な説明】
【０００７】
【図１】一般的な雨樋（たて樋）の設置図
【図２】第１の養生カバー（壁側の樋受金具に差し込む溝部あり）
【図３】第２の養生カバー（壁側の樋受金具に差し込む溝部なし）
【図４】第１の養生カバーを装着する説明図
【図５】第１の養生カバーを装着する説明図
【図６】第２の養生カバーを装着する説明図
【発明を実施するための形態】
【０００８】
図１のような雨樋３０を有する壁面の塗装時は雨樋３０の養生が必要である。一般的には養生テープ等で行うが第１の養生カバー１と第２の養生カバー２を用いる。
【０００９】
図２に示すように第１の養生カバー１は円筒状の本体１０から構成される。本体１０は、本体１０の全体にわたって形成された開口部（はめ込み口）１１と本体１０の上下に形成された溝部（差し込み口）１２・１３とを有する。
【００１０】
図３に示すように第２の養生カバー２は円筒状の本体２０から構成される。本体２０は、本体２０の全体にわたって形成された開口部（はめ込み口）２１を有する。
【００１１】
次に装着方法について説明する。まず、図４に示すように雨樋３０に第１の養生カバー１をはめ込む。このとき、樋受金具３１に溝部（差し込む口）１２を差し込む。
【００１２】
図５に示すように再度第１の養生カバー１をはめ込み、樋受金具３２に溝部（差し込み口）１３を差し込む。
【００１３】
図６に示すように図４、図５で装着した第１の養生カバー１の開口部（はめ込み口）１１から雨樋３０が見えているため、第２の養生カバー２をはめ込む。
【００１４】
例えば樋受金具３１と樋受金具３２の間隔が９０ｃｍ前後の場合、６０ｃｍ程度の第１の養生カバー１を二本はめ込み一部重ねて装着し、第１の養生カバー１の開口部（はめ込み口）１１に１２０ｃｍ〜１５０ｃｍ位の第２の養生カバー２をはめ込み装着する。第２の養生カバー２は装着時、樋受金具３１・３２が支障にならないため第１の養生カバー１より長尺なものが好ましい。
【００１５】
第１の養生カバー１と第２の養生カバー２は、雨樋３０の一般的に使用されている塩化ビニール製で厚みは同等もしくは薄いものである。開口部（はめ込み口）１１・２１の幅は、雨樋３０の円周の三分の一から四分の一程度が好ましい。
【符号の説明】
【００１６】
１    第１の養生カバー
２    第２の養生カバー
１０    第１の養生カバー本体
１１    第１の養生カバー開口部（はめ込み口）
１２    第１の養生カバー溝部（差し込み口）
１３    第１の養生カバー溝部（差し込み口）
２０    第２の養生カバー本体
２１    第２の養生カバー開口部（はめ込み口）
３０    雨樋
３１    樋受金具
３２    樋受金具
【図１】
2018076671.tif 000003
【図２】
2018076671.tif 000004
【図３】
2018076671.tif 000005
【図４】
2018076671.tif 000006
【図５】
2018076671.tif 000007
【図６】
2018076671.tif 000008
(57)【要約】【課題】従来コンテナは荷物運搬目的に利用されていたが、その他の利用方法は考えられていなかった。【解決手段】本発明は上記課題を解決するために、コンテナ内を分煙スペースと備蓄倉庫に間仕切り板により二分割し実用的に使用する金属製多目的コンテナを提供する。【選択図】図５
2018076118.tif 000002
【特許請求の範囲】
【請求項１】
コンテナ内を分煙スペースと備蓄倉庫間仕切り板により二分割し実用的に使用する金属製多目的コンテナ。
【発明の詳細な説明】
【技術分野】
【０００１】本発明は海上輸送用コンテナの多目的利用に関する。
【背景技術】
【０００２】海上輸送用コンテナは一般的に荷物の運搬に使用されている。
【発明の概要】
【発明が解決しようとする課題】
【０００３】従来コンテナは荷物運搬目的に利用されていたが、その他の利用方法は考えられていなかった。
【課題を解決するための手段】
【０００４】本発明は上記課題を解決するために、コンテナ内を分煙スペースと備蓄倉庫に間仕切り板により二分割し実用的に使用する金属製多目的コンテナを提供する。
【発明の効果】
【０００５】既存のコンテナ商品が商業性かつ実用性が低下した時点においては、目的変更を行い、異なる施設としての利用が可能で投資の無駄を軽減出来る。
【図面の簡単な説明】
【０００６】
【図１】コンテナ本体の正面図である
【図２】コンテナ本体の喫煙ブース側側面図である
【図３】コンテナ本体の背面図である
【図４】コンテナ本体の倉庫側側面図である
【図５】コンテナ内部の間仕切り図である
【図６】コンテナ本体の上面図である
【図７】コンテナ本体の底面図である
【発明を実施するための形態】
【０００７】本発明の金属製多目的コンテナについて各図面をもとに説明する。
【実施例】
【０００８】図１〜図４及び図６〜図７は、本発明の金属製多目的コンテナの外観を示すための六面図である。図１はコンテナ本体の正面図、図２はコンテナ本体の喫煙ブース側側面図、図３はコンテナ本体の背面図、図４はコンテナ本体の倉庫側側面図、図６はコンテナ本体の上面図、図７はコンテナ本体の底面である。また、図５はコンテナ内部間仕切り図である。【０００９】これらの図において、コンテナ本体６は間。金属製の板によって間仕切り分煙スペースと備蓄倉庫スペースに二分割する。仕切り板５により、２つのスペースに分割されている。１は喫煙ブース出入り口スライドドアであり、喫煙ブース側に設けられており、このドアを開閉して喫煙ブースへ出入りできる。また喫煙ブースには換気扇４が設けられ喫煙時に排煙を行う。【００１０】また、コンテナ本体６の倉庫側ブースには倉庫シャッター３が設けられ、荷物の搬出入時に使用する。なお、２−１〜２−４は必要に応じて設けられる固定ガラス窓であり、７はコンテナ本体の屋根板、８はコンテナ本体の底板である。【００１１】上記のような本発明の金属製多目的コンテナによれば、一つのコンテナを間仕切り板により分割して異なる使用目的で利用することができる。また、金属で覆われたコンテナを防火の必要な分煙ブースと、外部延焼から免れる防火シャッター扉の備蓄倉庫として活用することで実用性が高まる。
【符号の説明】
【００１２】１…喫煙ブース出入り口スライドドア、２−１〜２−４…固定ガラス窓、３…倉庫シャッター、４…換気扇、５…間仕切り板、６…コンテナ本体、７…屋根板、８…底板
【図１】
2018076118.tif 000003
【図２】
2018076118.tif 000004
【図３】
2018076118.tif 000005
【図４】
2018076118.tif 000006
【図５】
2018076118.tif 000007
【図６】
2018076118.tif 000008
【図７】
2018076118.tif 000009
(57)【要約】【課題】  マヨネーズ、ケチャップなどの粘性食品は、なす型の柔らかい合成樹脂チューブ容器に充填されているが、残量が少なくなるとすべてを絞り出すことができずに若干の内容物が残ってしまう。残留してしまう内容物の吐出を容易にし、内容物を使い切れるようにする粘性食品用容器の提供。【解決手段】  内容物が含まれているチューブの柔らかい合成樹脂部分を吐出口まで延長するとともに、吐出部のキャップを受ける部分には硬い合成樹脂を使用し、それを外側に配置する形状とする。チューブの柔らかい部分が吐出口まで続いているため、残量が少なくなりキャップを下にして保管した際、吐出部に集積させた内容物を、絞り出すことが容易になる。【選択図】図１
2018076117.tif 000002
【特許請求の範囲】
【請求項１】
マヨネーズ・ケチャップなどの粘性食品用容器のチューブの柔らかい合成樹脂部分を吐出口まで延長するとともに、吐出部のキャップを受ける部分には硬い合成樹脂を使用し、それを外側に配置する吐出部形状。
【発明の詳細な説明】
【技術分野】
【０００１】  本発明は、マヨネーズ・ケチャップなどの粘性食品を収容するチューブ容器に関して、粘性食品の一部が容器内に残留することなくスムーズに抽出され、無駄なく最後まで使用できるような粘性食品容器に関する。
【背景技術】
【０００２】  マヨネーズ、ケチャップなどの粘性食品は、なす型の柔らかい合成樹脂チューブ容器に収容した状態で市販されている。このような粘性食品は流動性に劣るため、チューブから必要な量だけ絞り出して使用している。【０００３】  チューブ内に食品が多量にある場合は何ら支障なく中身を絞り出すことができるが、食品残量が少量になるとその取り出しが困難な状況になる。【０００４】  この為、例えば、特許文献１に示すように、チューブをさかさまに立てて補助器具を使って絞り出すというような発明が考え出されたりしている。
【特許文献１】特開２００６−２２４９７０
【発明の概要】
【発明が解決しようとする課題】
【０００５】  マヨネーズ、ケチャップなどの粘性食品は、なす型の柔らかい合成樹脂チューブ容器に空気を抜いた状態で充填されキャップ部を上にして販売されている。食品が使用され内容物が減少してくると、キャップを下にして保管されるようになってくる。これは下方に内容物を集積させ、できるだけ多くの粘性食品を使い切ろうとするためである。しかし、どうしても現状の容器では、すべてを絞り出すことができずに若干の内容物が残ってしまう。これは、チューブ容器の吐出部分がキャップを受ける部分として他の部分より強度があり硬くなっているためである。この為、やむを得ず捨ててしまうか、容器を開封して中身を取り出すといった手間をかけなければならない。【０００６】  本発明は、マヨネーズ、ケチャップなどの粘性食品用容器の吐出口からの内容物の吐出を容易にし、マヨネーズ、ケチャップなどの粘性食品をできるだけ使い切れるようにする。
【課題を解決するための手段】
【０００７】  上記課題を解決するために、チューブの柔らかい合成樹脂部分を吐出口まで延長するとともに、吐出部のキャップを受ける部分には硬い合成樹脂を使用し、それを外側に配置する。
【発明の効果】
【０００８】  内容物が少なくなりキャップを下にして保管し、内容物が吐出部に集積させた時、チューブの柔らかい部分が吐出口まで続いているため内容物を絞り出すことが容易になり、食品の無駄を防止できる。【０００９】  補助器具などを使用することなくチューブの吐出部の形状を工夫することで、内容物を使い切れるようになる。【００１０】  キャップなどは大きく変更する必要がなく、チューブの吐出部の形状変更ですむ。
【発明を実施するための形態】
【００１１】  以下、本発明の実施の形態を図１に基づいて説明するが、本発明は吐出部の形状にある。
【００１２】  吐出部には、キャップを受ける部分に硬い合成樹脂を使用し、それを外側に配置する。チューブの柔らかい部分が吐出口まで続いているため集積させた内容物を最後まで絞り出すことができる。
【００１３】  キャップを受ける部分もある程度変形できる硬さなので、内側のチューブを絞った時の変形にも対応できる。
【図面の簡単な説明】
【００１４】
【図１】本発明の粘性食品用容器の縦断正面図である。
【符号の説明】
【００１５】    １  吐出部
２  キャップを受ける部分（強度がある硬い素材）
３  吐出口
４  チューブ（柔らかい素材）
【図１】
2018076117.tif 000003
(57)【要約】      （修正有）【課題】自転車や三輪車やモーターバイクで雨に濡れないようにして外出できるようにする。【解決手段】前部分を少し硬めにした透明なかこいをつける。プラスチック製でなくてもよく、必要であれば自動車のように前部分にワイパーをつけるとよい。なお必要でない部分は透明でなくてもよい。又取り付けた時の入口のためにファスナーか何かをつけるとよい。雨が降らない日は、かこいは取りはずしが出来るようにした方がよい。かこいは前後左右と上だけでよい。【選択図】なし【特許請求の範囲】
【請求項１】
自転車や三輪車やモーターバイクに雨ぬれ防止のため、透明のかこいを取り付ける。
【発明の詳細な説明】
【技術分野】
【０００１】  本発明は１キロ半位あるスーパーまで毎日買物に自転車で行くが、雨の日は傘をさしては乗れないので４０分位かけて歩いて買物に行くが、荷物が重たくて歩いての時はあまり買えない。そこで雨の日でも自転車で買物に行けるように、雨よけかこいを雨の日は自転車に取り付けて雨に濡れないようにする。モーターバイクで行く人はモーターバイクに取り付ける。三輪車で行く人は三輪車に取り付ける。
【背景技術】
【０００２】  従来はかこいは自動車しかなかったので、自転車や三輪車やモーターバイクは雨の日は乗りづらかった。カッパでは不十分だし、傘をさして乗るのは危険だし、雨の日は自転車や三輪車やモーターバイクは不便であった。
【発明の概要】
【発明が解決しようとする課題】
【０００３】  雨の日でも長ぐつはいて、雨に濡れないようにして外出できるようにする。
【課題を解決するための手段】
【０００４】  自転車や三輪車やモーターバイクにもかこいをつけるとよい。かこいは透明で柔らかいプラスチック製でもよい。あまり柔らかいと車輪にまきつく恐れがあるので、ある程度の硬さは必要。前部分だけは少し硬めである。できるだけ軽い物でかこいをつける。
【発明の効果】
【０００５】  これで雨の日でも、必要な分だけ自転車や三輪車で買物が出来るようになる。
【発明を実施するための形態】
【実施例】
【０００６】  透明なかこいである。プラスチック製でなくてもよい。前部分は少し硬めにしないといけないと思う。必要であれば自動車のように前部分にワイパーをつけるとよい。なお必要でない部分は透明でなくてもよい。又取り付けた時の入口のためにファスナーか何かをつけるとよい。雨が降らない日は、かこいは取りはずしが出来るようにした方がよい。かこいは前後左右と上だけでよい。